(57)【特許請求の範囲】
【請求項１】
内部を透視できる材料により形成されて下方が開口する略箱形のケース本体と、このケース本体が連結されてその前記開口を塞ぐ底ケースとからなり、第１及び第２係合アームとその間に突出形成した支点突起とからなるＵ字状の連結具によって、隣接し合う複数のものが互いに連結されることになる玩具用陳列ケースであって、
前記底ケースの下面の複数箇所に、前記連結具を取付けるための係合突起を形成するとともに、この係合突起に近接する前記底ケースの下端面に前記連結具の支点突起が係合する係合凹所を形成したことを特徴とする玩具用陳列ケース。
【請求項２】
前記底ケース上に載置されて前記ケース本体内に収納されるひな段を備えたことを特徴とする請求項１に記載の玩具用陳列ケース。
【請求項３】
前記底ケースのコーナー部の底面に、板状の第２連結具をネジ止めすることのできるネジ穴を形成したことを特徴とする請求項１または２に記載の玩具用陳列ケース。
【請求項４】
内部を透視できる材料により形成されて下方が開口する略箱形のケース本体と、このケース本体が連結されてその前記開口を塞ぐ底ケースとからなる玩具用陳列ケースの複数を、前記各底ケースの側端を当接させた状態で固定することにより連結するようにした連結具であって、
前記一つの底ケースの下面に形成した係合突起に係合される第１係合アームと、隣接し合っている前記２つの底ケースの下端面に形成してある各係合凹所にそれぞれ係合する支点突起と、この支点突起を挟んで前記第１係合アームと対称位置に形成されて、他の底ケースの係合突起に係合される第２係合アームとを備えてＵ字状に形成したことを特徴とする玩具用陳列ケースのための連結具。
【発明の詳細な説明】
【０００１】
本発明は、お菓子のおまけについている小さなおもちゃ（フィギア）やミニチュアおもちゃ、あるいはプラモデル等の比較的小さな玩具を入れて陳列するためのケース、及びその連結具に関するものである。
【０００２】
【従来の技術】
フィギア、ミニチュア、あるいはプラモデル等の玩具は、近年非常に精工にできており、見て楽しむものとしても人気が高まってきている。特に、お菓子のおまけについているフィギアは、色々な種類のものが用意されており、これを収集することも行われている。
【０００３】
収集されたフィギアは、これを自分の部屋に飾ったり、人に見せたりするために、内部が透視できる材料によって形成したケース内に入れておかれることになり、そのための専用のケースも販売されてきている。
【０００４】
このような従来の玩具用陳列ケースは、その内部の容積が限られているため、玩具の収容量に限りがあり、あふれた玩具は他のケースを購入してその中に入れることになる。このようにして玩具用陳列ケースはどんどん増加していき、それそれの玩具用陳列ケースがバラバラに陳列されることになる。そうなると、折角収集した玩具の全体がよく見えないだけでなく、集合状態の美しさを十分堪能することができなくなるのである。
【０００５】
そこで、本発明者は、この種のフィギア、ミニチュア、プラモデル等の玩具を入れるケースとして、これらの玩具の陳列を最も効果的に行えるようにするにはどうしたらよいか、について種々検討を重ねてきた結果、本発明を完成したのである。
【０００６】
【発明が解決しようとする課題】
本発明は、フィギア等の玩具を入れておく玩具用陳列ケースにおける上記実状に鑑みてなされたもので、その解決しようとする課題は、互いの連結が行えるようにすることができて、玩具の陳列をより効果的に行える玩具用陳列ケースを提供することであり、さらにそのような玩具用陳列ケース同士の連結を簡単に行うことのできる連結具を簡単な構成によって提供することにある。
【０００７】
【課題を解決するための手段】
以上の課題を解決するために、まず請求項１に係る発明の採った手段は、後述する実施の形態の説明中において使用する符号を付して説明すると、
「内部を透視できる材料により形成されて下方が開口１１する略箱形のケース本体１０と、このケース本体１０が連結されてその開口１１を塞ぐ底ケース２０とからなり、第１及び第２係合アーム３１・３２とその間に突出形成した支点突起３３とからなるＵ字状の連結具３０によって、隣接し合う複数のものが互いに連結されることになる玩具用陳列ケース１００であって、
底ケース２０の下面の複数箇所に、連結具３０を取付けるための係合突起２２を形成するとともに、この係合突起２２に近接する底ケース２０の下端面に連結具３０の支点突起３３が係合する係合凹所２３を形成したことを特徴とする玩具用陳列ケース１０」
である。
【０００８】
すなわち、この請求項１に係る玩具用陳列ケース１００は、基本的には、図１及び図２に示したように、机上等に載置される底ケース２０に対して、下方に開口１１を有したケース本体１０が、底ケース２０上に形成した止め部２１の止め穴２１ａ内に、その係止突起１２を強制嵌合されることにより取付けられるものであり、このケース本体１０内に玩具６０を収納して飾るようにしたものである。勿論、このケース本体１０を底ケース２０から外すためには、係止突起１２が形成してある部分を内方に押すことにより、その底ケース２０側の止め穴２１ａに対する係合が解かれるから、そのままケース本体１０を持ち上げればよいのであるが、このような形態は従来のものと同様である。
【０００９】
この請求項１に係る玩具用陳列ケース１００の、従来のそれと根本的に異なる点は、その複数を、例えば図８に示すように、横方向は勿論、その上に更に一般横方向へ連結されることを想定したことであり、そのために、後述する連結具３０による図８に示した連結が行えるようにしてあることである。
【００１０】
つまり、この玩具用陳列ケース１００を構成している底ケース２０については、図４に示すように、その下方から連結具３０による連結が行えるようにするための係止突起２２と、その近傍の係合凹所２３とを有したものとしてあるのである。これらの係止突起２２及び係合凹所２３はどのように利用されるかは、図７に詳しく説明してある。
【００１１】
まず、２つの玩具用陳列ケース１００をその各側面にて密着させながら連結具３０による連結をするには、図７の（イ）に示すように、連結具３０の第１係合アーム３１を一つの底ケース２０側の係止突起２２に向けて強制的に嵌合することにより係合させるとともに、連結具３０の支点突起３３を底ケース２０側の係合凹所２３に係合させるのである。このとき、連結具３０の第１係合アーム３１の上方外面には係合爪３１ａが形成してあるため、この係合爪３１ａが底ケース２０側の係止突起２２に、連結具３０の第１係合アーム３１自体が有する復元力（図７では図示左方へ広がろうとする力）によってしっかりと係合することになるだけでなく、この第１係合アーム３１の復元力によって支点突起３３の、底ケース２０側の係合凹所２３に対する係合がしっかりとなされることになるのである。
【００１２】
つまり、連結具３０の第１係合アーム３１における復元力によって、連結具３０は底ケース２０に対して、図７の（イ）に示した状態をしっかりと維持することになるのであり、第２係合アーム３２は他の底ケース２０が嵌合されるのを待機している状態となるのである。そこで、他の底ケース２０の係止突起２２及び係合凹所２３を、図７の（ロ）に示すように、上方から第２係合アーム３２に対して強制嵌合すれば２つの底ケース２０、従って２つの玩具用陳列ケース１００が互いにしっかりと連結されることになるのである。
【００１３】
従って、この請求項１に係る玩具用陳列ケース１００は、それ単独でも玩具６０の陳列を行えることは当然として、連結具３０を利用することにより、隣接し合う２つの底ケース２０を互いに接触した状態でしっかりと連結することができるのであり、これにより隣接し合う複数の玩具用陳列ケース１００の連結が行えるものとなっているのである。
【００１４】
上記課題を解決するために、請求項２に係る発明の採った手段は、上記請求項１の玩具用陳列ケース１００について、
「底ケース２０上に載置されてケース本体１０内に収納されるひな段４０を備えたこと」
である。
【００１５】
すなわち、この請求項２に係る玩具用陳列ケース１００は、図１及び図２に示すように、内部に収納されることになるひな段４０をも有したものであり、このひな段４０によって玩具６０の陳列がより効果的に行えるのである。
【００１６】
また、請求項３に係る発明の採った手段は、上記請求項１または２の玩具用陳列ケース１００について、
「底ケース２０のコーナー部の底面に、板状の第２連結具５０をネジ止めすることのできるネジ穴２４を形成」
したものである。
【００１７】
すなわち、この請求項３に係る玩具用陳列ケース１００は、図９に概略的に示すような斜め連結をも行えるようにしたものであり、そのために、図４に示すように、底面のコーナー部にネジ穴２４を形成したものである。なお、以下に示す実施形態においては、少なくともこのネジ穴２４を形成したコーナー部の外面は円弧状にしてあり、これにより、どの角度でも第２連結具５０による連結を円滑に行えるようにしてある。
【００１８】
以上のようなネジ穴２４を利用することにより、図９に示すように、小さな板状の第２連結具５０をネジ止めすることにより、各玩具用陳列ケース１００の所定角度で広げた連結が行えるのである。
【００１９】
さて、上記課題を解決するために、請求項４に係る発明の採った手段は、同様に、
「内部を透視できる材料により形成されて下方が開口１１する略箱形のケース本体１０と、このケース本体１０が連結されてその開口１１を塞ぐ底ケース２０とからなる玩具用陳列ケース１００の複数を、各底ケース２０の側端を当接させた状態で固定することにより連結するようにした連結具３０であって、
一つの底ケース２０の下面に形成した係合突起２２に係合される第１係合アーム３１と、隣接し合っている２つの底ケース２０・２０の下端面に形成してある各係合凹所２３にそれぞれ係合する支点突起３３と、この支点突起３３を挟んで第１係合アーム３１と対称位置に形成されて、他の底ケース２０の係合突起２２に嵌合される第２係合アーム３２とを備えてＵ字状に形成したことを特徴とする玩具用陳列ケース１００のための連結具３０」
である。
【００２０】
すなわち、この請求項４に係る連結具３０は、前述してきた玩具用陳列ケース１００の複数を、図８に示すような密接状態で連結するためのものであり、図６及び図７に示すように、第１係合アーム３１及び第２係合アーム３２と、その間の支点突起３３とを有したものである。
【００２１】
この連結具３０における第１係合アーム３１及び第２係合アーム３２は、互いに対称となる位置に形成したものであるが、その各先端は、図７の（ロ）に示した２つの係止突起２２間の寸法より広がったものとなっている。何故なら、これらの第１係合アーム３１及び第２係合アーム３２は各係止突起２２に強制嵌合によって係合させたとき、復元力が常に発生するようにするためである。
【００２２】
第１係合アーム３１は、図６及び図７に示すように、その先端外面に係合爪３１ａを形成したものとしてあり、この係合爪３１ａは底ケース２０側の係止突起２２に強制嵌合するにあたっての案内面を形成するものである。つまり、この第１係合アーム３１の先端を底ケース２０側の係止突起２２に強制嵌合するときには、この係合爪３１ａは係止突起２２の端面に当接して第１係合アーム３１を支点突起３３側に撓ませる役目を果すものである。勿論、この係合爪３１ａは、第１係合アーム３１の先端が係止突起２２内に完全に嵌合されれば、第１係合アーム３１自体の復元力によって係止突起２２にしっかりと係合することになるものである。
【００２３】
第２係合アーム３２は、第１係合アーム３１と略同じ外形を有するものであるが、上述したような係合爪３１ａは有していないものである。もし、この第２係合アーム３２の先端外面にも係合爪３１ａが形成してあったとすると、この連結具３０を外したい場合に外しづらくなるからであるが、そのことをいとわなければ、この第２係合アーム３２にも係合爪３１ａを形成するように実施してもよい。
【００２４】
以上のような第１係合アーム３１と第２係合アーム３２との間に突出形成した支点突起３３は、図７にも示すように、当該連結具３０の両底ケース２０に対する位置決めを果たすものであり、かつ２つの底ケース２０を連結したときの、第１係合アーム３１及び第２係合アーム３２の復元力を均等に保つものでもある。
【００２５】
勿論、この連結具３０による連結を解決するには、係合爪３１ａを形成していない第２係合アーム３２側の底ケース２０を上方に持ち上げればよく、第１係合アーム３１側の解除は第２係合アーム３２をもって支点突起３３を中心にこじればよいものである。
【００２６】
従って、この請求項４に係る連結具３０は、接し合う玩具用陳列ケース１００の、各底ケース２０の底面側における連結を円滑に行えるのであり、各玩具用陳列ケース１００の図８に示すような美麗な連結を行えるものとなっているのである。
【００２７】
【発明の実施の形態】
次に、上記のように構成した各請求項に係る発明を、図面に示した実施の形態である玩具用陳列ケース１００について説明するが、この実施形態の玩具用陳列ケース１００は上記各請求項に係る発明の全てを実質的に含むものである。
【００２８】
図１及び図２には、本発明に係る玩具用陳列ケース１００の一つが示してあり、この玩具用陳列ケース１００は、合成樹脂を材料として型形成した透明体であるケース本体１０を、その下端の開口１１の適宜箇所に形成した係止突起１２によって底ケース２０に嵌合固定したものである。本実施形態のケース本体１０では、図３に示したように、合計６箇所に係止突起１２を形成したものであり、各係止突起１２は、図２に示したように、底ケース２０上に突出形成した各止め部２１の止め穴２１ａ内に嵌合されるものである。
【００２９】
また、図１及び図２に示した玩具用陳列ケース１００は、底ケース２０上にひな段４０を載置固定したものであり、このひな段４０は、特に図２に示したように、高さが順に高くなる３つの段を有しているものである。本実施形態の玩具用陳列ケース１００では、このひな段４０上に玩具６０を並べるものであるが、このひな段４０は必ずしも必要なものではなく、このひな段４０を外して底ケース２０上に直接玩具６０を載置するようにしてもよい。
【００３０】
実施形態のひな段４０は、図２にも示したように、その下端に段突起４１を形成しておいて、この段突起４１を、底ケース２０に形成してある係合穴２５内に係合させることにより底ケース２０と一体化されるものであり、ケース本体１０の底ケース２０に対する取付けあるいは取外し作業時に簡単に位置ズレしないようにしてある。
【００３１】
さて、底ケース２０の下面には、図４及び図５に示したように、前述したケース本体１０側の係止突起１２と同じ位置に係止突起２２が形成してあるが、これら各係止突起２２は、図７に示したように、外側に向かうアゴ部を有しているものである。そして、底ケース２０の下端縁、つまり脚部の下面の係止突起２２に対向する部分には、図４及び図７に示したように、係合凹所２３が形成してある。この係合凹所２３内には、図７に示したように後述する連結具３０の支点突起３３が係合することになるものである。
【００３２】
また、この底ケース２０のコーナー部の下面には、図４に示したように、ネジ穴２４が形成してある。このネジ穴２４は、図１０に示したように、第２連結具５０をネジ止めするためのものであり、２つの玩具用陳列ケース１００を各コーナー部にて連結する場合に利用されるものである。つまり、２つの玩具用陳列ケース１００を構成している各底ケース２０の下面のコーナー部において、各ネジ穴２４を利用して第２連結具５０をネジ止めすることにより、図１０中の実線にて示したように、２つの底ケース２０、つまり玩具用陳列ケース１００を所定の角度で傾斜した状態に連結することができるようにしているのである。この角度調整を行いやすくするために、各ネジ穴２４を形成したコーナー部の外側は図示したように円弧状となるようにしてある。
【００３３】
以上のように構成した玩具用陳列ケース１００は、その複数を、図８に示したように連結する場合がある。この時に使用されるのが連結具３０であり、この連結具３０は、図７に示したように、底ケース２０に形成してある係止突起２２及び係合凹所２３を利用して隣接し合う２つの底ケース２０の連結を行うものである。
【００３４】
各連結具３０は、図６の（イ）に示したように、その概略形状をＵ字状のものとしたものであり、図示右側が第１係合アーム３１であり、図示左側が第２係合アーム３２である。また、これらの第１係合アーム３１及び第２係合アーム３２を下側で一体化している基部の上には支点突起３３が形成してある。
【００３５】
そして、これらの第１係合アーム３１及び第２係合アーム３２は、その自然状態においては、図６の（イ）に示したように、その各上端部が比較的大きく広がるようにしてあり、これによって２つの底ケース２０を連結したときには、図７の（ロ）に示したように少しすぼむことになるものである。これにより、連結時における各第１係合アーム３１及び第２係合アーム３２間に所定の復元力が付与できるようにしてある。
【００３６】
第１係合アーム３１は、図６の（イ）及び（ロ）に示したように、その上端外面に係合爪３１ａを形成したものであり、この係合爪３１ａは、図７に示したように、底ケース２０側に形成してある係止突起２２のアゴ部に係合することになるものである。このような係合爪３１ａを、第２係合アーム３２の方にも形成してもよいが、本実施形態の第２係合アーム３２では、これに対する底ケース２０側の係止突起２２の嵌合やその解除を行いやすくするために、図６の（イ）に示したように形成していない。
【００３７】
第１係合アーム３１と第２係合アーム３２との間にある支点突起３３は、図７に示したように、各底ケース２０の係合凹所２３内に係合されることになるものであり、これにより、第１係合アーム３１や第２係合アーム３２の位置決めと復元力付与に役立つものである。
【００３８】
なお、本実施形態に係る連結具３０は、合成樹脂を材料として一体成形したものであり、１つの玩具用陳列ケース１００に付けて販売されることもあるが、基本的には、玩具用陳列ケース１００とは別に販売されるものである。
【００３９】
【発明の効果】
以上、詳述した通り、まず請求項１〜３に係る発明は、
「内部を透視できる材料により形成されて下方が開口１１する略箱形のケース本体１０と、このケース本体１０が連結されてその開口１１を塞ぐ底ケース２０とからなり、第１及び第２係合アーム３１・３２とその間に突出形成した支点突起３３とからなるＵ字状の連結具３０によって、隣接し合う複数のものが互いに連結されることになる玩具用陳列ケース１００であって、
底ケース２０の下面の複数箇所に、連結具３０を取付けるための係合突起２２を形成するとともに、この係合突起２２に近接する底ケース２０の下端面に連結具３０の支点突起３３が係合する係合凹所２３を形成したこと」
をその基本構成としたものであり、これにより、密接し合った複数の玩具用陳列ケース１００同士の連結を簡単に行うことができるのである。従って、この玩具用陳列ケース１００によれば、多数の玩具６０の陳列を効果的に行うことができ、かつ複数の玩具用陳列ケース１００の連結を容易に行うことができるのである。
【００４０】
また、請求項４に係る発明においては、上記実施形態にて例示した如く、
「内部を透視できる材料により形成されて下方が開口１１する略箱形のケース本体１０と、このケース本体１０が連結されてその開口１１を塞ぐ底ケース２０とからなる玩具用陳列ケース１００の複数を、各底ケース２０の側端を当接させた状態で固定することにより連結するようにした連結具３０であって、
一つの底ケース２０の下面に形成した係合突起２２に係合される第１係合アーム３１と、隣接し合っている２つの底ケース２０・２０の下端面に形成してある各係合凹所２３にそれぞれ係合する支点突起３３と、この支点突起３３を挟んで第１係合アーム３１と対称位置に形成されて、他の底ケース２０の係合突起２２に嵌合される第２係合アーム３２とを備えてＵ字状に形成したこと」ことにその構成上の特徴があり、これにより、複数の玩具用陳列ケース１００の、互いに密着し合った連結を簡単かつ確実に行うことができるのである。
【図面の簡単な説明】
【図１】本発明に係る玩具用陳列ケースの切断部分を変えて示した縦断面図である。
【図２】同玩具用陳列ケースの図１中の１−１線に沿ってみた縦断面図である。
【図３】同玩具用陳列ケースを構成しているケース本体の底面図である。
【図４】同玩具用陳列ケースを構成している底ケースの平面図である。
【図５】同底ケースを示すもので、（イ）は部分切欠正面図、（ロ）は同長辺側の縦断面図、（ハ）は同短辺側の縦断面図である。
【図６】各底ケースを連結するための連結具を示すもので、（イ）は側面図、（ロ）は正面図、（ハ）は底面図である。
【図７】２つの底ケースを連結具によって連結する手順を示した部分拡大断面図であり、（イ）は第１係合アームを係止突起に係合させたときを、（ロ）は第１係合アーム及び第２係合アームの両方に底ケース側の係止突起を係合させたときを示すものである。
【図８】複数の玩具用陳列ケースを連結具によって連結した状態を示す斜視図である。
【図９】２つずつの玩具用陳列ケースを第２連結具によって連結した例を示す概略底面図である。
【図１０】２つの底ケースを第２連結具によって連結した例を示す底面図である。
【符号の説明】
１００  玩具用陳列ケース
１０    ケース本体
１１    開口
１２    係止突起
２０    底ケース
２１    止め部
２１ａ  止め穴
２２    係止突起
２３    係合凹所
２４    ネジ穴
２５    係合穴
３０    連結具
３１    第１係合アーム
３１ａ  係合爪
３２    第２係合アーム
３３    支点突起
４０    ひな段
４１    段突起
５０    第２連結具
６０    玩具
【図１】
0003721433.tif 000002
【図２】
0003721433.tif 000003
【図３】
0003721433.tif 000004
【図４】
0003721433.tif 000005
【図５】
0003721433.tif 000006
【図６】
0003721433.tif 000007
【図７】
0003721433.tif 000008
【図８】
0003721433.tif 000009
【図９】
0003721433.tif 000010
【図１０】
0003721433.tif 000011